(57)【特許請求の範囲】
【請求項１】
アドレス帳データ管理装置が、通信ネットワークを介して複数のユーザの端末装置と接続可能であり、前記ユーザの端末装置に記憶された端末アドレス帳に登録された他のユーザのユーザ情報を前記ユーザごとに対応付けた登録情報を記憶するマスターアドレス帳を管理する方法であって、
前記ユーザの端末装置から、前記端末アドレス帳へのユーザ情報の登録があったことを示すデータを受信する登録情報受信ステップと、
前記登録情報受信ステップによって受信された、前記ユーザ情報の登録があったことを示すデータに基づいて、前記マスターアドレス帳の前記登録情報を更新する登録情報更新ステップと、
前記ユーザの端末装置から、前記マスターアドレス帳の前記登録情報の送信を要求するデータを受信したことに応じて、前記マスターアドレス帳において当該要求したユーザにユーザ情報が対応付けられたユーザに、当該要求したユーザのユーザ情報が対応付けられていることを示す友達関係の情報によって更新された前記登録情報を、要求した前記ユーザの端末装置に送信する登録情報送信ステップと、を含む方法。
【請求項２】
前記ユーザ情報は、前記ユーザの電話番号を含むものである請求項１に記載の方法。
【請求項３】
前記ユーザ情報は、前記ユーザの電子メールアドレスを含むものである請求項１又は請求項２に記載の方法。
【請求項４】
前記登録情報受信ステップは、
前記端末装置から、前記端末アドレス帳に登録された前記他のユーザについて前記ユーザの入力を受け付けることにより設定された友達マークを、前記ユーザ情報の一として受信し、
前記登録情報送信ステップは、
前記ユーザの端末装置から、前記マスターアドレス帳の前記登録情報の送信を要求するデータを受信したことに応じて、前記マスターアドレス帳において前記友達マークを含むユーザ情報が当該要求したユーザに対応付けられたユーザに、当該要求したユーザの前記友達マークを含むユーザ情報が対応付けられていることを示す友達関係の情報によって更新された前記登録情報を、要求した前記ユーザの端末装置に送信する請求項１から請求項３のいずれかに記載の方法。
【請求項５】
通信ネットワークを介して複数のユーザの端末装置と接続可能であり、前記ユーザの端末装置に記憶された端末アドレス帳に登録された他のユーザのユーザ情報を前記ユーザごとに対応付けた登録情報を記憶するマスターアドレス帳を管理するアドレス帳データ管理装置であって、
前記ユーザの端末装置から、前記端末アドレス帳へのユーザ情報の登録があったことを示すデータを受信する登録情報受信手段と、
前記登録情報受信手段によって受信された、前記ユーザ情報の登録があったことを示すデータに基づいて、前記マスターアドレス帳の前記登録情報を更新する登録情報更新手段と、
前記ユーザの端末装置から、前記マスターアドレス帳の前記登録情報の送信を要求するデータを受信したことに応じて、前記マスターアドレス帳において当該要求したユーザにユーザ情報が対応付けられたユーザに、当該要求したユーザのユーザ情報が対応付けられていることを示す友達関係の情報によって更新された前記登録情報を、要求した前記ユーザの端末装置に送信する登録情報送信手段と、を備えるアドレス帳データ管理装置。
【発明の詳細な説明】
【技術分野】
【０００１】
本発明は、アドレス帳データを管理する方法及び管理装置に関する。
【背景技術】
【０００２】
従来、携帯電話等の端末装置は、通信相手の電話番号や電子メールアドレス等を記憶しておき、当該情報を随時呼び出して相手方に電話をかけたり、電子メールを発信したりすることができるようになっている。
【０００３】
一般に、当該端末装置のユーザは、自らの意思決定に基づいて登録操作を行うことによって、頻繁に連絡を取る相手方の電話番号や電子メールを登録する。このような中で、例えば、特許文献１に記載された技術によれば、当該アドレス帳データの管理において、ユーザから入力されたインデックス作成のためのソート条件情報を含むリクエスト情報をサーバに送信しておき、当該サーバは、当該ソート条件情報に対応する通信頻度を通信履歴情報から算出した通信頻度の多い順に相手ユーザを並び替えたインデックスを作成し当該ユーザの携帯端末に送信することができる。
【０００４】
更に、端末装置において記憶・管理されているアドレス帳データが、当該端末装置の紛失や故障時においても復旧することが可能なように、通信ネットワークを介して接続可能なサーバにバックアップを行う技術が携帯電話会社等のサービスとして行われている。
【特許文献１】特開２００４−１５３４２０号公報
【発明の開示】
【発明が解決しようとする課題】
【０００５】
しかしながら、特許文献１に記載の技術や、すでに携帯電話等の事業者によって行われているサービスによっても、お互いのアドレス帳に登録されているユーザ同士において、その登録されている事実を知ることはできない。このように、端末装置におけるアドレス帳へのユーザ情報の登録行為に係る情報の流通には改善の余地がある。
【０００６】
そこで、本発明は、端末装置におけるアドレス帳へのユーザ情報の登録行為に係る情報の流通をより容易にし、ユーザ同士のコミュニケーションを促進することができる、アドレス帳データを管理する方法及び管理装置を提供することを目的とする。
【課題を解決するための手段】
【０００７】
より具体的には、本発明は、次のようなものを提供する。
【０００８】
（１）  通信ネットワーク（３０）を介して複数のユーザの端末装置（２０）と接続可能であり、前記端末装置（２０）の端末アドレス帳に含まれる情報を記憶するマスターアドレス帳（マスターアドレス帳データテーブル１２１）を管理するアドレス帳データ管理装置（サーバ１０）が、前記マスターアドレス帳（マスターアドレス帳データテーブル１２１）を管理する方法であって、
前記ユーザの端末装置（２０）から、前記ユーザの端末装置（２０）に記憶された端末アドレス帳へのユーザ情報の登録を示すデータを受信する登録情報受信ステップと、
ユーザ情報の登録を示す前記データに基づいて、前記端末アドレス帳に登録されたユーザに関する前記マスターアドレス帳（マスターアドレス帳データテーブル１２１）を更新する登録情報更新ステップと、
前記端末アドレス帳に登録されたユーザの端末装置（２０）から、前記端末アドレス帳へのユーザ情報の登録を示すデータの送信を要求するデータを受信したことに応じて、前記端末アドレス帳に登録されたユーザの端末装置（２０）に、前記端末アドレス帳へのユーザ情報の登録を示す前記データを送信する登録情報送信ステップと、を含む方法。
【０００９】
本発明のこのような構成によれば、前記アドレス帳データ管理装置（サーバ１０）は、前記ユーザの端末装置（２０）から、前記ユーザの端末装置（２０）に記憶された端末アドレス帳へのユーザ情報の登録を示すデータを受信し、
ユーザ情報の登録を示す前記データに基づいて、前記端末アドレス帳に登録されたユーザに関する前記マスターアドレス帳（マスターアドレス帳データテーブル１２１）を更新し、
前記端末アドレス帳に登録されたユーザの端末装置（２０）から、前記端末アドレス帳へのユーザ情報の登録を示すデータの送信を要求するデータを受信したことに応じて、前記端末アドレス帳に登録されたユーザの端末装置（２０）に、前記端末アドレス帳へのユーザ情報の登録を示す前記データを送信する。
【００１０】
このことにより、前記アドレス帳データ管理装置は、前記ユーザの端末装置の端末アドレス帳に登録されたユーザ情報を、前記端末アドレス帳に登録されたユーザからの要求に応じて送信することができる。
【００１１】
その結果、前記アドレス帳データ管理装置に接続可能な複数端末装置のユーザは、必要に応じて最新のユーザ情報をシェアすることができる。従って、前記ユーザは、前記端末アドレス帳に他のユーザを登録するだけで、登録された前記他のユーザの最新情報に常に触れることが可能になる。
【００１２】
このように、前記アドレス帳データ管理装置は、前記端末装置における端末アドレス帳へのユーザ情報の登録行為に係る情報の流通をより容易にし、ユーザ同士のコミュニケーションを促進することができる。
【００１３】
このようなユーザのアドレス帳への登録行為に係る情報の流通を容易にすることにより、折に触れてユーザ同士の暗黙の友達関係を知ることになるため、前記複数のユーザは友達関係をよりスムーズに構築することが可能となる。
【００１４】
（２）  前記ユーザ情報は、前記ユーザの電話番号に関するものである（１）に記載の方法。
【００１５】
本発明のこのような構成によれば、前記ユーザ情報は、前記ユーザの電話番号に関するものである。
【００１６】
このことにより、前記アドレス帳データ管理装置は、前記端末装置としての携帯電話を特定する電話番号を前記ユーザ情報として管理することができる。
【００１７】
その結果、前記アドレス帳データ管理装置は、前記ユーザの前記端末アドレス帳への電話番号の登録という、比較的容易で頻繁に行われ得る登録行為を契機として一連の情報処理を行うことができる。
【００１８】
このように、前記アドレス帳データ管理装置は、非常に多くの端末が使用され、普及率の高い携帯電話端末に対して、上述の情報処理を行い、前記ユーザが友達関係をよりスムーズに構築する契機を与えることができる。
【００１９】
（３）  前記端末装置（２０）は、前記アドレス帳データ管理装置（サーバ１０）から前記端末アドレス帳へのユーザ情報の登録を示す前記データを受信したことに応じて、前記端末アドレス帳において、前記ユーザ情報の登録があった旨を示すマークを表示する登録情報表示ステップを更に含む（１）又は（２）に記載の方法。
【００２０】
本発明のこのような構成によれば、前記端末装置（２０）は、前記アドレス帳データ管理装置（サーバ１０）から前記端末アドレス帳へのユーザ情報の登録を示す前記データを受信したことに応じて、前記端末アドレス帳において、前記ユーザ情報の登録があった旨を示すマークを表示する。
【００２１】
このことにより、前記端末装置は、前記ユーザ情報の登録があった旨を示すマークを表示することによって、前記ユーザに対して容易にその旨を報知することができる。
【００２２】
ここで、前記マークは、前記端末アドレス帳において前記ユーザ情報の登録があったユーザを識別することができるものであればあらゆるものが適用可能である。
【００２３】
具体的には、例えば、ユーザを示す文字列の傍に表示されるチェックマークやスターマークやハートマークのような記号でもよいし、ユーザを示す文字列が反転したり、色が変わったり、下線が引かれたり、斜体文字で表示されたり、点滅したり、太字で表示されたり、より大きな文字で表示されたり等、前記ユーザを強調したり、差別化したりするものが採用されてよい。
【００２４】
（４）  前記ユーザ情報は、前記ユーザの電子メールアドレスを更に含むものである（１）から（３）のいずれかに記載の方法。
【００２５】
本発明のこのような構成によれば、前記ユーザ情報は、前記ユーザの電子メールアドレスを更に含むものである。
【００２６】
このことにより、前記アドレス帳データ管理装置は、前記電子メールアドレスを更に含むユーザ情報に係る登録行為を契機として上述の情報処理を行うことができる。
【００２７】
その結果、前記アドレス帳データ管理装置は、例えば、前記電話番号に加えて前記電子メールアドレスも登録したユーザを、電話番号のみしか登録していないユーザよりもより親密な友達関係として取扱い、その旨を前記複数のユーザ同士でシェアすることができる。
【００２８】
このように、前記アドレス帳データ管理装置は、友達関係のランクを区別して情報を流通することが可能となり、よりきめの細かい友達関係を表現することができる。
【００２９】
（５）  前記端末装置（２０）は、前記ユーザから、前記端末アドレス帳に登録されたユーザについて、友達関係であることを示す情報の指定入力を受け付ける友達関係指定受付ステップと、
友達関係であることを示す前記情報を前記ユーザ情報の一として前記アドレス帳データ管理装置（サーバ１０）に送信する友達関係指定情報送信ステップとを更に含み、
前記登録情報受信ステップにおいて、前記アドレス帳データ管理装置（サーバ１０）は、友達関係であることを示す前記情報を前記ユーザ情報の一として受信する（１）から（４）のいずれかに記載の方法。
【００３０】
本発明のこのような構成によれば、前記端末装置（２０）は、前記ユーザから、前記端末アドレス帳に登録されたユーザについて、友達関係であることを示す情報の指定入力を受け付け、
友達関係であることを示す前記情報を前記ユーザ情報の一として前記アドレス帳データ管理装置（サーバ１０）に送信し、
前記登録情報受信ステップにおいて、前記アドレス帳データ管理装置（サーバ１０）は、友達関係であることを示す前記情報を前記ユーザ情報の一として受信する。
【００３１】
このことにより、前記アドレス帳データ管理装置は、電話番号や電子メールアドレス等に加えて、友達関係であることを示す前記情報が登録された旨を、前記複数のユーザ同士でシェアさせることができる。
【００３２】
その結果、前記アドレス帳データ管理装置は、電話番号や電子メールアドレス等の登録という間接的に友達関係を示唆する情報の登録行為のみならず、より直接的に友達関係を示す情報の登録行為を契機として上述の情報処理を行うことができる。
【００３３】
このように、前記アドレス帳データ管理装置は、前記ユーザに友達関係であることを積極的に登録させることによって、より確実に友達関係に関する情報を流通させることができる。
【００３４】
従って、前記アドレス帳データ管理装置は、例えば、電話番号や電子メールアドレスを登録していても友達関係であることを示すデータ登録のないユーザに対しては、登録のあるユーザとの関係よりもより低い友達官界のランクで取り扱うことも可能となる。このようにすれば、前記アドレス帳データ管理装置は、ユーザの主観をより正確に直接的に相手ユーザに報知することができる。或いは、友達関係であることを登録したユーザの思いを、相手ユーザに伝える契機を与えることができる。
【００３５】
（６）  通信ネットワーク（３０）を介して複数のユーザの端末装置（２０）と接続可能であり、前記端末装置（２０）の端末アドレス帳に含まれる情報を記憶するマスターアドレス帳（マスターアドレス帳データテーブル１２１）を管理するアドレス帳データ管理装置（サーバ１０）であって、
前記ユーザの端末装置（２０）から、前記ユーザの端末装置（２０）に記憶された端末アドレス帳へのユーザ情報の登録を示すデータを受信する登録情報受信手段と、
ユーザ情報の登録を示す前記データに基づいて、前記端末アドレス帳に登録されたユーザに関する前記マスターアドレス帳（マスターアドレス帳データテーブル１２１）を更新する登録情報更新手段と、
前記端末アドレス帳に登録されたユーザの端末装置（２０）から、前記端末アドレス帳へのユーザ情報の登録を示すデータの送信を要求するデータを受信したことに応じて、前記端末アドレス帳に登録されたユーザの端末装置（２０）に、前記端末アドレス帳へのユーザ情報の登録を示す前記データを送信する登録情報送信手段と、を備えるアドレス帳データ管理装置（１０）。
【００３６】
本発明のこのような構成によれば、前記アドレス帳データ管理装置は、（１）と同様の作用を有する。
【発明の効果】
【００３７】
本発明によれば、前記アドレス帳データ管理装置に接続可能な複数端末装置のユーザは、前記端末アドレス帳に他のユーザを登録するだけで、登録された前記他のユーザの最新情報に常に触れることが可能になる。このように、前記アドレス帳データ管理装置は、前記端末装置における端末アドレス帳へのユーザ情報の登録行為に係る情報の流通をより容易にし、ユーザ同士のコミュニケーションを促進することができる。このようなユーザのアドレス帳への登録行為に係る情報の流通を容易にすることにより、折に触れてユーザ同士の暗黙の友達関係を知ることになるため、前記複数のユーザは友達関係をよりスムーズに構築することが可能となる。
【発明を実施するための最良の形態】
【００３８】
以下、図面を参照しながら本発明の最良の実施形態の一例について述べる。
【００３９】
図１は、本発明の好適な実施形態の一例に係るシステム１の全体構成を示す図である。図２は、本発明の好適な実施形態の一例に係るサーバ１０及び端末２０のハードウェア構成の一例を示す図である。図３は、本発明の好適な実施形態の一例に係るサーバ１０及び端末装置２０の機能ブロック図である。図４は、本発明の好適な実施形態の一例に係るアドレス帳データ更新処理を示すフローチャートである。図５は、本発明の好適な実施形態の一例に係るアドレス帳データ送信処理を示すフローチャートである。図６乃至図１０は、本発明の好適な実施形態の一例に係る電話番号のみによる友達マッチングの例を示す図である。図１１乃至図１３は、本発明の好適な実施形態の一例に係る友達マークの設定による友達マッチングの例を示す図である。
【００４０】
図１は、本発明の好適な実施形態の一例に係るシステム１の全体構成を示す図である。
【００４１】
本実施形態におけるシステム１は、サーバ１０が、通信ネットワーク３０を介して、端末装置２０と接続可能な状態で構成される。端末装置２０は、有線ネットワークを介して接続されてもよいが、例えば、２０ａ、２０ｂ等の携帯電話端末、２０ｃのようなＰＤＡ（Ｐｅｒｓｏｎａｌ  Ｄａｔａ  Ａｓｓｉｓｔａｎｔ）端末等のように無線ネットワーク２１を介して接続可能な端末であってよい。図１の例では、携帯電話端末２０ａ及び携帯電話端末２０ｂが無線基地局２１ａｂを介して接続されており、ＰＤＡ端末２０ｃが無線基地局２１ｃを介して接続されている。
【００４２】
サーバ１０のハードウェアの数に制限はなく、必要に応じて、１又は複数のハードウェアで構成してよい。
［サーバ１０のハードウェア構成］
【００４３】
図２は、本発明の好適な実施形態の一例に係るサーバ１０及び端末２０のハードウェア構成の一例を示す図である。図２に示すように、制御部１１０、記憶部１２０、通信Ｉ／Ｆ部１３０、入力部１４０、及び表示部１５０がバスライン１６０により接続されてサーバ１０を構成する。
【００４４】
入力部１４０は、マウス並びにキーボード等の入力装置により実現することができる。又、通信Ｉ／Ｆ部１３０は、ＬＡＮアダプタ並びにモデムアダプタ等により実現することができる。更に、制御部１１０は、ＣＰＵ（Ｃｅｎｔｒａｌ  Ｐｒｏｃｅｓｓｉｎｇ  Ｕｎｉｔ）により構成してよく、サーバ１０全体を制御し、例えば、記憶部１２０に記憶されたプログラムを読み出して実行することにより、後述する各種処理を実現している。そして又、表示部１５０は、液晶表示装置（ＬＣＤ）、並びにブラウン管表示装置（ＣＲＴ）等により実現することができる。そして更に、記憶部１２０は、ハードディスク並びに半導体メモリ等で実現することができる。
【００４５】
以上の例は、サーバ１０について主に説明したが、コンピュータに、プログラムをインストールして、そのコンピュータをサーバ装置として動作させることにより上記で説明した機能を実現することもできる。従って、本発明において一実施形態として説明したサーバ１０により実現される機能は、上述の方法を当該コンピュータにより実行することにより、或いは、上述のプログラムを当該コンピュータに導入して実行することによっても実現可能である。
［端末装置２０のハードウェア構成］
【００４６】
ここで端末装置２０は、上述のサーバ１０と同様の構成を備えてよい。制御部２１０、記憶部２２０、通信Ｉ／Ｆ部２３０、入力部２４０、及び表示部２５０がバスライン２６０により接続されて端末２０を構成する。なお、携帯電話端末２０ａ及び２０ｂ、ＰＤＡ端末２０ｃ等のように無線通信によってサーバ１０と接続可能な端末は、通信Ｉ／Ｆ部２３０としてアンテナ等の無線による通信を行うためのハードウェアを備えているのは言うまでもない。
［システムの機能構成］
【００４７】
図３は、本発明の好適な実施形態の一例に係るサーバ１０及び端末装置２０の機能ブロック図である。
【００４８】
端末２０の入力部２４０は、入力装置を含んで構成し、ユーザの入力を受け付ける機能を有している。
【００４９】
サーバ１０は、主として通信Ｉ／Ｆ部１３０、制御部１１０、及び記憶部１２０により構成される。通信Ｉ／Ｆ部１３０は、端末装置２０からデータを受信する機能、及び端末装置２０へデータを送信する機能を有している。又、制御部１１０は、ＣＰＵを含む制御装置を含んで構成し、サーバ１０を制御する機能を有している。更に、記憶部１２０は、ハードディスク等を含む記憶装置を含んで構成し、データを記憶する機能を有している。
【００５０】
サーバ１０の制御部１１０は、登録情報受信手段１１１、登録情報確認手段１１２、登録情報更新手段１１３、登録情報送信要求データ受信手段１１４、及び登録情報送信手段１１５を有している。
［アドレス帳データ更新処理］
【００５１】
図４は、本発明の好適な実施形態の一例に係るアドレス帳データ更新処理を示すフローチャートである。
【００５２】
まず、サーバ１０の制御部１１０が、端末装置２０から、通信Ｉ／Ｆ部１３０を介して、登録情報受信手段１１１により、端末アドレス帳への登録があったことを示すデータを受信する（ステップＳ１１０）。
【００５３】
次に、サーバ１０の制御部１１０が、登録情報確認手段１１２により、マスターアドレス帳データ（マスターアドレス帳データテーブル１２１）を参照して、登録情報を確認する（ステップＳ１２０）。
【００５４】
次に、サーバ１０の制御部１１０が、登録情報更新手段１１３により、マスターアドレス帳（マスターアドレス帳データテーブル１２１）の登録情報を更新する（ステップＳ１３０）。このようにして、サーバ１０は、端末装置２０から、端末アドレス帳への登録があったことを示すデータを受信する度に、マスターアドレス帳（マスターアドレス帳データテーブル１２１）の登録情報を更新する。なお、この例ではマスターアドレス帳の更新処理としているが、新規にユーザ情報が登録された場合には、新規にマスターアドレス帳にデータが追加されることは言うまでもない。
【００５５】
ここで、更新する登録情報は、端末装置２０のユーザの電話番号、電子メールアドレス等の他、住所、生年月日、名前、性別等の各種個人情報を含んでよい。
［アドレス帳データ送信処理］
【００５６】
図５は、本発明の好適な実施形態の一例に係るアドレス帳データ送信処理を示すフローチャートである。
【００５７】
まず、サーバ１０の制御部１１０が、端末装置２０から、通信Ｉ／Ｆ部１３０を介して、登録情報送信要求データ受信手段１１４により、マスターアドレス帳データ（マスターアドレス帳データテーブル１２１）の登録情報の送信を要求するデータを受信する（ステップＳ２１０）。
【００５８】
次に、サーバ１０の制御部１１０が、登録情報送信手段１１５により、マスターアドレス帳データ（マスターアドレス帳データテーブル１２１）の登録情報を、通信Ｉ／Ｆ部１３０を介して、端末装置２０に送信する（ステップＳ２２０）。
【００５９】
このように、サーバ１０は、端末装置２０からの送信要求を受信する度に、マスターアドレス帳データ（マスターアドレス帳データテーブル１２１）の登録情報を送信することができる。上述のアドレス帳データ更新処理と合わせて、端末装置２０は、更新されたマスターアドレス帳データを随時受信することができる。
［実施例１］
【００６０】
図６乃至図１０は、本発明の好適な実施形態の一例に係る電話番号のみによる友達マッチングの例を示す図である。
【００６１】
図６に示すように、電話帳登録機能（登録情報更新手段１１３）により、電話帳ＤＢ（マスターアドレス帳データテーブル１２１）を更新し、登録情報マッチング機能（登録情報送信手段１１５）により、更新された電話帳ＤＢ（マスターアドレス帳データテーブル１２１）のデータを端末に送信する。
【００６２】
この例では、図７に示すようにユーザＡの電話帳ＤＢ（マスターアドレス帳データテーブル１２１）に登録されたユーザＣ及びユーザＤの電話帳ＤＢにも、ユーザＡが登録されている。このため、図８に示すように、ユーザＡの電話帳ＤＢ（マスターアドレス帳データテーブル１２１）に登録されたユーザＣ及びユーザＤの部分に「Ｆｒｉｅｎｄｓ」マークが表示されており、友達関係のマッチングが成立していることを示している。ユーザＣ及びユーザＤの電話帳ＤＢ（マスターアドレス帳データテーブル１２１）に登録されたユーザＡの部分にも、同様に「Ｆｒｉｅｎｄｓ」マークが表示されており、友達関係のマッチングが成立していることを示している。ユーザＢとユーザＤの関係も同様である。
【００６３】
ここで、図９及び図１０に示すように、ユーザＢの電話帳ＤＢ（マスターアドレス帳データテーブル１２１）に登録されたユーザＤの電子メールアドレス（ｄｄｄ＠ｙｙｙ．ｎｅ．ｊｐ）は、ユーザＤの電子メールアドレス（ｄｄｄ＠ｘｘｘ．ｎｅ．ｊｐ）と異なっている。また、ユーザＡの電話帳（マスターアドレス帳データテーブル１２１）にユーザＤの電子メールアドレス（ｄｄｄ＠ｘｘｘ．ｎｅ．ｊｐ）が登録されているものの、ユーザＤの電話帳（マスターアドレス帳データテーブル１２１）にユーザＡの電子メールアドレスが登録されておらず、やはり不一致がある。このような登録された電子メールアドレスの不一致や未登録があるユーザＢとユーザＤ、ユーザＡとユーザＤの間の「Ｆｒｉｅｎｄｓ」マークの表示を行わない、という運用を行ってもよい。このような場合には、電子メールアドレスの不一致や未登録がある旨を示すマークを表示して、修正や登録を促してもよい。
［実施例２］
【００６４】
図１１乃至図１３は、本発明の好適な実施形態の一例に係る友達マークの設定による友達マッチングの例を示す図である。
【００６５】
図１１に示すように、図６に示した機能に加えて、端末のユーザによる友達マーク設定機能により、電話帳ＤＢ（マスターアドレス帳データテーブル１２１）を更新し、登録情報マッチング機能（登録情報送信手段１１５）により、更新された電話帳ＤＢ（マスターアドレス帳データテーブル１２１）のデータを端末に送信する。
【００６６】
この例では、図１２に示すように、ユーザＡの電話帳ＤＢ（マスターアドレス帳データテーブル１２１）に登録されたユーザＤの部分には「友達マーク」が設定されており、同様にユーザＤの電話帳ＤＢ（マスターアドレス帳データテーブル１２１）に登録されたユーザＡの部分には「友達マーク」が設定されている。このため、図１３に示すように、該当部分に「Ｆｒｉｅｎｄｓ」マークが表示されている。
【００６７】
一方、ユーザＡの電話帳ＤＢ（マスターアドレス帳データテーブル１２１）に登録されたユーザＣの部分には「友達マーク」が設定されているが、ユーザＣの電話帳ＤＢ（マスターアドレス帳データテーブル１２１）に登録されたユーザＡの部分には「友達マーク」が設定されていない。このため、図１３に示すように、ユーザＡの電話帳ＤＢ（マスターアドレス帳データテーブル１２１）に登録されたユーザＣの部分には「チェックマーク」が表示されているものの、ユーザＣの電話帳ＤＢ（マスターアドレス帳データテーブル１２１）に登録されたユーザＡの部分には何も示されていない。このように、互いに友達マークが登録されない限り「Ｆｒｉｅｎｄｓ」マークを表示しない運用とすることもできる。
【００６８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００６９】
【図１】本発明の好適な実施形態の一例に係るシステム１の全体構成を示す図である。
【図２】本発明の好適な実施形態の一例に係るサーバ１０及び端末２０のハードウェア構成の一例を示す図である。
【図３】本発明の好適な実施形態の一例に係るサーバ１０及び端末装置２０の機能ブロック図である。
【図４】本発明の好適な実施形態の一例に係るアドレス帳データ更新処理を示すフローチャートである。
【図５】本発明の好適な実施形態の一例に係るアドレス帳データ送信処理を示すフローチャートである。
【図６】本発明の好適な実施形態の一例に係る電話番号のみによる友達マッチングの例を示す図である。
【図７】本発明の好適な実施形態の一例に係る電話番号のみによる友達マッチングの例を示す図である。
【図８】本発明の好適な実施形態の一例に係る電話番号のみによる友達マッチングの例を示す図である。
【図９】本発明の好適な実施形態の一例に係る電話番号のみによる友達マッチングの例を示す図である。
【図１０】本発明の好適な実施形態の一例に係る電話番号のみによる友達マッチングの例を示す図である。
【図１１】本発明の好適な実施形態の一例に係る友達マークの設定による友達マッチングの例を示す図である。
【図１２】本発明の好適な実施形態の一例に係る友達マークの設定による友達マッチングの例を示す図である。
【図１３】本発明の好適な実施形態の一例に係る友達マークの設定による友達マッチングの例を示す図である。
【符号の説明】
【００７０】
１  システム
１０  サーバ
２０  端末装置
２０ａ、２０ｂ  携帯電話端末
２０ｃ  ＰＤＡ端末
３０  通信ネットワーク
【図１】
0004704399.tif 000002
【図２】
0004704399.tif 000003
【図３】
0004704399.tif 000004
【図４】
0004704399.tif 000005
【図５】
0004704399.tif 000006
【図６】
0004704399.tif 000007
【図７】
0004704399.tif 000008
【図８】
0004704399.tif 000009
【図９】
0004704399.tif 000010
【図１０】
0004704399.tif 000011
【図１１】
0004704399.tif 000012
【図１２】
0004704399.tif 000013
【図１３】
0004704399.tif 000014